(57)【要約】      （修正有）【課題】特にオス部材とメス部材とをしっかりと係合したり簡単に取り外したりすることができるクイックバックルを提供する。【解決手段】クイックバックルは、内部に収容空間が設けられ、一端に開口が形成され、内部における相対する両側にそれぞれ当接部１３が設けられ、該当接部の開口１１側に当接傾斜面１４が形成されるメス部材１０と、一端の両側にそれぞれ、メス部材の開口を通過して収容空間に差し込まれる係合アーム２１が延設され、該各係合アームの外側に当接凹部２１３が凹設され、該当接凹部の内周面に、係合アームの先端から末端へ行くにつれて斜め外側に向かって案内傾斜面２１４が設けられ、該案内傾斜面がメス部材の当接傾斜面に当接されるオス部材と、を有し、その内、該メス部材の当接部がオス部材の当接凹部に嵌め込まれる場合に、オス部材がメス部材の奥へ差し込まれ、係合アームの案内傾斜面がメス部材の当接傾斜面に沿って移動しながら、係合アームが中央と接近して湾曲状に変形するものである。【選択図】図４
0003195986.tif 000002
【実用新案登録請求の範囲】
【請求項１】
内部に収容空間が設けられ、一端に開口が形成され、内部における相対する両側にそれぞれ当接部が設けられ、該当接部の開口側に当接傾斜面が形成されるメス部材と、
一端における両側にそれぞれ、メス部材の開口を通過して収容空間に差し込まれる係合アームが延設され、該各係合アームの外側に当接凹部が凹設され、該当接凹部の内周面に、係合アームの先端から末端へ行くにつれて斜め外側に向かって案内傾斜面が設けられ、該案内傾斜面がメス部材の当接傾斜面に当接されるオス部材と、を有し、
前記メス部材の当接部がオス部材の当接凹部に嵌め込まれる場合に、オス部材がメス部材の奥へ差し込まれ、係合アームの案内傾斜面がメス部材の当接傾斜面に沿って移動しながら、係合アームが中央と接近して湾曲状に変形することを特徴とするクイックバックル。
【請求項２】
前記オス部材の係合アームの内側における先端近傍に延出部が凸設され、前記当接凹部が延出部側に延出することを特徴とする請求項１に記載のクイックバックル。
【請求項３】
前記当接凹部及び延出部がそれぞれ係合アームの先端近傍に設けられることを特徴とする請求項２に記載のクイックバックル。
【請求項４】
前記係合アームの内側に延出部と連結する強化リブが凸設され、かつ、該強化リブの上下方向の厚さが延出部より薄いことを特徴とする請求項２または３に記載のクイックバックル。
【請求項５】
前記メス部材の内部における相対する両側にそれぞれ止め部が設けられると共に、前記当接部が開口と止め部との間に設けられ、前記係合アームが離間可能に止め部に当接されることを特徴とする請求項１乃至３の何れか１項に記載のクイックバックル。
【請求項６】
前記メス部材の内面における上下両側に２枚の支持リブが間隔をおいて設けられることを特徴とする請求項１乃至３の何れか１項に記載のクイックバックル。
【請求項７】
前記オス部材に係合アームと同一方向に向かってガイドリブが延設され、該ガイドリブがメス部材の支持リブの間に差し込まれることを特徴とする請求項６に記載のクイックバックル。
【考案の詳細な説明】
【技術分野】
【０００１】
本考案は、特にオス部材及びメス部材をしっかりと係合したり簡単に取り外したりすることができるバックルに関するものである。
【背景技術】
【０００２】
図７及び図８に示すように、既存のクイックバックルは、メス部材９１及びオス部材９２を有し、該メス部材９１は、内部に収容空間が設けられ、一端に開口９１１が形成され、内部における相対する両側にそれぞれ係合溝９１２が形成され、該オス部材９２は、相対する両側にそれぞれ同一方向へ向かって押圧アーム９２１が延設され、該各押圧アーム９２１の先端外側に係合部９２２が凸設される。
【０００３】
前記既存のクイックバックルを使用する時は、そのオス部材９２の押圧アーム９２１を互いに内側へ接近させるように押圧しながらメス部材９１の開口９１１に差し込んで収容空間に位置させ、オス部材９２の係合部９２２をメス部材９１の係合溝９１２に係止することによって、オス部材９２をメス部材９１に係合する。反対に、既存のクイックバックルを取り外す時は、そのオス部材９２の押圧アーム９２１を両側から押圧して係合溝９１２から離脱させることにより、メス部材９１から取り外す。
【考案の概要】
【考案が解決しようとする課題】
【０００４】
しかしながら、既存のクイックバックルには以下のような欠点を有するので、改良が必要である。
１．オス部材をしっかりとメス部材に係合するためには、太くて丈夫な押圧アームを形成したり、あるいは、押圧アームに特別な構造を形成する必要があるが、そのような構造では、親指と人差し指により押圧アームを押圧し難くなるので、オス部材をメス部材から取り外し難くなる。
２.係合部が押圧アームよりも外側に突出していることから、他の物と接触して押圧アームが磨耗してしまうと、オス部材をメス部材に係合する時、係合溝との係合効果が低下してしまう。
【課題を解決するための手段】
【０００５】
本考案に係るクイックバックルは、
内部に収容空間が設けられ、一端に開口が形成され、内部における相対する両側にそれぞれ当接部が設けられ、該当接部の開口側に当接傾斜面が形成されるメス部材と、
一端における両側にそれぞれ、メス部材の開口を通過して収容空間に差し込まれる係合アームが延設され、該各係合アームの外側に当接凹部が凹設され、該当接凹部の内周面に、係合アームの先端から末端へ行くにつれて斜め外側に向かって案内傾斜面が設けられ、該案内傾斜面がメス部材の当接傾斜面に当接されるオス部材と、を有し、
その内、前記メス部材の当接部がオス部材の当接凹部に嵌め込まれる場合に、オス部材がメス部材の奥へ差し込まれ、係合アームの案内傾斜面がメス部材の当接傾斜面に沿って移動しながら、係合アームが中央と接近して湾曲状に変形するものである。
【０００６】
かかるクイックバックルにおいて、前記オス部材の係合アームの内側における先端近傍に延出部が凸設され、前記当接凹部が延出部側に延出することが好ましい。
【０００７】
かかるクイックバックルにおいて、前記当接凹部及び延出部がそれぞれ係合アームの先端近傍に設けられることが好ましい。
【０００８】
かかるクイックバックルにおいて、前記係合アームの内側に延出部と連結する強化リブが凸設され、かつ、該強化リブの上下方向の厚さが延出部より薄いことが好ましい。
【０００９】
かかるクイックバックルにおいて、前記メス部材の内部における相対する両側にそれぞれ止め部が設けられると共に、前記当接部が開口と止め部との間に設けられ、前記係合アームが離間可能に止め部に当接されることが好ましい。
【００１０】
かかるクイックバックルにおいて、前記メス部材の内面における上下両側に２枚の支持リブが間隔をおいて設けられることが好ましい。
【００１１】
かかるクイックバックルにおいて、前記オス部材に係合アームと同一方向に向かってガイドリブが延設され、該ガイドリブがメス部材の支持リブの間に差し込まれることが好ましい。
【考案の効果】
【００１２】
本考案に係るクイックバックルの構造によれば、オス部材を簡単にメス部材から取り外すことができる。つまり、その操作方法においては、まず、オス部材を、係合アームを止め部に当接させるようにメス部材の奥へ差し込み、この時、係合アームの案内傾斜面がメス部材の当接傾斜面に沿って移動しながら、係合アームをさらに内側へ変形するが、親指及び人差し指により２つの係合アームを更に内側へ押圧すると、当接部が当接凹部から離脱し、オス部材をメス部材から引き出すことができる。
【００１３】
このように、この構造では、まず腕によりオス部材をメス部材の奥へ簡単に差し込めることから、その後、指により係合アームを軽く押圧すれば、当接部を簡単に当接凹部から離脱させることができるので、指に負担がかからない。つまり、そのオス部材をしかっりとメス部材に係合することができると共に、オス部材のメス部材からの取り外しも簡単であるので、使用上非常に便利である。
【００１４】
更に、係合アームに当接凹部が凹設されると共に、当接部がメス部材の内側に凸設されることから、当接部が他の物と接触して磨耗することはないので、常に優れた係合効果を維持することができる。
【図面の簡単な説明】
【００１５】
【図１】本考案に係るクイックバックルの斜視図である。
【図２】本考案に係るクイックバックルの分解斜視図である。
【図３】本考案に係るクイックバックルのメス部材の部分断面斜視図である。
【図４】本考案に係るクイックバックルにおいて、オス部材をメス部材に組み合わせた状態を示す断面図である。
【図５】本考案に係るクイックバックルにおいて、オス部材をメス部材の奥へ差し込んだ操作を示す断面図である。
【図６】本考案に係るクイックバックルにおいて、オス部材の係合アームを押圧した状態を示す断面図である。
【図７】既存のクイックバックルの斜視図である。
【図８】既存のクイックバックルの分解斜視図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１及び図２に示すように、本考案に係るクイックバックルは、メス部材１０及びオス部材２０を有する。
図２及び図３に示すように、前記メス部材１０は、内部に収容空間が設けられると共に、一端に開口１１が形成され、該開口１１と反対する端の近傍かつ内部における相対する左右両側にそれぞれ止め部１２が設けられ、該開口１１と止め部１２との間かつ内部における相対する両側にそれぞれ当接部１３が設けられ、該当接部１３の開口１１側に当接傾斜面１４が形成され、また、内部における上下両側に、メス部材１０の構造を強化するための２枚の支持リブ１５が間隔をおいて設けられる。
【００１８】
図２及び図４に示すように、前記オス部材２０は、一端における左右両側にそれぞれ係合アーム２１が延設され、該一端における係合アーム２１の間にガイドリブ２２が延設され、該ガイドリブ２２は、係合アーム２１と同一方向にオス部材２０の中央から延出する。また、前記各係合アーム２１の内側における先端近傍に延出部２１１が凸設され、末端から延出部２１１にかけて強化リブ２１２が凸設され、かつ、該強化リブ２１２は延出部２１１と連結し、尚、該強化リブ２１２の上下方向の厚さは延出部２１１より薄いことから、係合アーム２１を横方向（すなわち、図面の左右方向）に押圧しても折れたり割れたりすることはないので、構造強度を強化することができる。更に、前記各係合アーム２１の外側における先端近傍に当接凹部２１３が凹設され、該当接凹部２１３が延出部２１１側に延出し、該当接凹部２１３の内周面に、係合アーム２１の先端から末端へ行くにつれて斜め外側に向かって案内傾斜面２１４が設けられる。
【００１９】
前記オス部材２０をメス部材１０に組み合わせる時は、まず、両側の係合アーム２１をメス部材１０の開口１１から差込んで、中央のガイドリブ２２をメス部材１０の支持リブ１５の間における収容空間に位置させ、この時、係合アーム２１の先端が当接傾斜面１４に沿って移動しながら、係合アーム２１をやや内側へ接近させて湾曲状に変形させることによりメス部材１０の当接部１３を乗り越え、これにより当接部１３が係合アーム２１の当接凹部２１３に嵌め込まれると、オス部材２０がメス部材１０に掛合される。
【００２０】
反対に、図５に示すように、前記オス部材２０をメス部材１０から取り外す時は、まず、オス部材２０を、係合アーム２１を止め部１２に当接させるように、メス部材１０の奥へ押し込む。この時、係合アーム２１の案内傾斜面２１４がメス部材１０の当接傾斜面１４に沿って移動しながら、係合アーム２１をさらに内側へ接近してより湾曲状に変形するが、当接部１３は依然として係合アーム２１の当接凹部２１３に嵌め込まれている。その後更に、図６に示すように、親指及び人差し指で２つの係合アーム２１がより接近するように外側から押圧すると、当接部１３が当接凹部２１３から離脱し、オス部材２０をメス部材１０から引き出すことができる。
このように、前記オス部材２０をメス部材１０の奥へ押し込む時、主に腕により力を出して係合アーム２１を湾曲状に変形させ、その後、指により係合アーム２１を軽く押圧すれば、当接部１３を簡単に当接凹部２１３から離脱させることができるので、指に負担がかからない。
【００２１】
また、本考案に係るクイックバックルは、係合アーム２１に強化リブ２１２が構成されることから、構造強度を強化でき、オス部材２０をメス部材１０に組み合わせると、互いにしっかりと係合することができ、一方、上述したように、オス部材２０をメス部材１０から取り外すのも簡単である。
【００２２】
さらに、前記係合アーム２１に当接凹部２１３が凹設されると共に、当接部１３がメス部材１０の内側に凸設されることから、当接部１３が不注意で他の物と接触して磨耗することはないので、係合効果を維持できる。
【００２３】
尚、前記係合アーム２１の当接凹部２１３は、係合アーム２１の先端近傍や中段に凹設されなくてもよく、当接部１３が係合アーム２１の当接凹部２１３にはめ込める構造であればよい。
【符号の説明】
【００２４】
１０                メス部材
１１                開口
１２                止め部
１３                当接部
１４                当接傾斜面
１５                支持リブ
２０                オス部材
２１                係合アーム
２１１              延出部
２１２              強化リブ
２１３              当接凹部
２１４              案内傾斜面
２２                ガイドリブ
９１                メス部材
９２                オス部材
９１１              開口
９１２              係合溝
９２                オス部材
９２１              押圧アーム
９２２              係合部
【図１】
0003195986.tif 000003
【図２】
0003195986.tif 000004
【図３】
0003195986.tif 000005
【図４】
0003195986.tif 000006
【図５】
0003195986.tif 000007
【図６】
0003195986.tif 000008
【図７】
0003195986.tif 000009
【図８】
0003195986.tif 000010